【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】磁気角運動ＥＡＳマーカーを非活化するための装置であって、
第１のコイルと、
第２のコイルと、
前記マーカーを非活化するそれぞれの交番磁界を生成するために、交番駆動信号で前記第１及び第２のコイルに電圧を加えるための手段であって、前記第１のコイルが電圧を加えられ、前記第２のコイルが電圧を加えられない第１の作動モードと、前記第２のコイルが電圧を加えられ、前記第１のコイルが電圧を加えられない第２の作動モードとの間で前記装置を切り換えるための手段を含む、前記電圧を加えるための手段とを備え、
該切換手段は、前記交番磁界の零交差点に対応する時間において前記作動モード間で前記装置の切り換えて作動することを特徴とする装置。
【請求項２】前記装置は、タイムインターバルの第１のシーケンスで前記第１のモードで作動され、該タイムインターバルの第１のシーケンスでインターリーブされるタイムインターバルの第２のシーケンスで前記第２のモードで作動されることを特徴とする請求項１記載の装置。
【請求項３】前記第１及び第２のシーケンスの前記タイムインターバルのそれぞれは、前記交番駆動信号の１サイクルの所要時間と実質的に等しいことを特徴とする請求項２記載の装置。
【請求項４】前記第１及び第２のシーケンスの前記タイムインターバルのすべては、所要時間において実質的に等しく、前記タイムインターバルのそれぞれは、前記交番駆動信号の２サイクルに対応する時間より短くない所要時間を持つことを特徴とする請求項２記載の装置。
【請求項５】前記第１のコイルに連続して接続される第１のコンデンサーと、
前記第２のコイルに連続して接続される第２のコンデンサーと、
をさらに備えることを特徴とする請求項１記載の装置。
【請求項６】前記第１のコンデンサーは、前記第２の作動モードの間充電状態に保持され、前記第２のコンデンサーは、前記第１の作動モードの間充電状態に保持されることを特徴とする請求項５記載の装置。
【請求項７】前記第１のコイルと前記第２のコイルを切り換える前記手段を通して選択的に接続されるコンデンサーをさらに備えることを特徴とする請求項１記載の装置。
【請求項８】前記第１の作動モードの間だけ電圧を加えるための前記手段によって電圧を加えられる第３のコイルと、
前記第２の作動モードの間だけ電圧を加えるための前記手段によって電圧を加えられる第４のコイルと、
をさらに備えることを特徴とする請求項１記載の装置。
【請求項９】磁気角運動ＥＡＳマーカーを非活化するための装置であって、
第１のコイルと、
第２のコイルと、
前記マーカーを非活化するそれぞれの交番磁界を生成するために、交番駆動信号で前記第１及び第２のコイルに電圧を加えるための手段であって、前記第１のコイルが電圧を加えられ、前記第２のコイルが電圧を加えられない第１の作動モードと、前記第２のコイルが電圧を加えられ、前記第１のコイルが電圧を加えられない第２の作動モードとの間で前記装置を切り換えるための手段を含む、前記電圧を加えるための手段とを備え、
前記装置は、タイムインターバルの第１のシーケンスで前記第１のモードで作動し、タイムインターバルの該第１のシーケンスでインターリーブされるタイムインターバルの第２のシーケンスで前記第２のモードで作動し、
前記第１及び第２のシーケンスの前記タイムインターバルのそれぞれは、前記交番駆動信号の１サイクルよりも長くない所要時間を持つことを特徴とする装置。
【請求項１０】前記第１のコイルに連続して接続される第１のコンデンサーと、
前記第２のコイルに連続して接続される第２のコンデンサーと、
をさらに備えることを特徴とする請求項９記載の装置。
【請求項１１】前記第１のコンデンサーは、前記第２の作動モードの間充電状態に保持され、前記第２のコンデンサーは、前記第１の作動モードの間充電状態に保持されることを特徴とする請求項１０記載の装置。
【請求項１２】前記第１のコイルと前記第２のコイルを切り換える前記手段を通して選択的に接続されるコンデンサーをさらに備えることを特徴とする請求項９記載の装置。
【請求項１３】前記第１の作動モードの間だけ電圧を加えるための前記手段によって電圧を加えられる第３のコイルと、
前記第２の作動モードの間だけ電圧を加えるための前記手段によって電圧を加えられる第４のコイルと、
をさらに備えることを特徴とする請求項９記載の装置。
【請求項１４】前記電圧を加える手段を制御するための制御手段と、
ユーザーが前記制御手段に制御信号を入力可能にするためのユーザー入力手段とを備え、
前記制御手段は、前記ユーザーによって入力される前記制御信号に従って前記タイムインターバルの所要時間を調整するように、前記電圧を加える手段を制御することを特徴とする請求項９記載の装置。
【請求項１５】前記タイムインターバルのそれぞれは、前記交番駆動信号の１サイクルよりも短いことを特徴とする請求項９記載の装置。
【請求項１６】磁気角運動ＥＡＳマーカーを非活化するための装置であって、
少なくとも一つのコイルと、
トリガ回路を備え、
該トリガ回路は、少なくとも一つの光学センサーと、前記少なくとも一つの光学センサーによって、出力される信号レベルをしきい値と比較するための手段と、前記少なくとも一つの光学センサーによって、出力される前記信号レベル内の変動に従って、前記しきい値を調整するための手段を備え、及び
前記トリガ回路に応答する、前記少なくとも一つのコイルに選択的に電圧を加えるための手段と、
を備えることを特徴とする装置。
【請求項１７】前記調整手段は、前記少なくとも一つの光学センサーに連続して接続されるコンデンサーを含むことを特徴とする請求項１６記載の装置。
【請求項１８】前記少なくとも一つの光学センサーは、互いに並列で、前記コンデンサーに接続される２つの光学センサーを含むことを特徴とする請求項１７記載の装置。
【請求項１９】前記光学センサーは、硫化カドミウムセンサーであることを特徴とする請求項１８記載の装置。
【請求項２０】前記磁気角運動ＥＡＳマーカーが電圧を加えられた少なくとも一つのコイルによって生成される交番磁界に曝されることにより非活化されたか否かを決定するためのチェック手段をさらに備えることを特徴とする請求項１６記載の装置。
【請求項２１】磁気角運動ＥＡＳマーカーを非活化するための装置であって、
第１のコイルと、
該第１のコイルに連続して接続される第１のコンデンサーと、
前記マーカーを非活化する交番磁界を生成するために、交番駆動信号で前記第１のコイルに電圧を加えるための手段であって、前記第１のコイルが電圧を加えられる第１の作動モードと、前記第１のコイルが電圧を加えられない第２の作動モードとの間で前記装置を切り換えるための手段を含む、前記電圧を加えるための手段とを備え、
該電圧を加えるための手段は、前記コンデンサーが前記第２の作動モードで充電状態に保持されるように作動することを特徴とする装置。
【請求項２２】第２のコイルと、該第２のコイルに連続して接続される第２のコンデンサーとをさらに備え、
前記電圧を加えるための手段は、前記第２の作動モードで該第２のコイルに電圧を加え、前記第１の作動モードで該第２のコンデンサーを充電状態に保持するために作動することを特徴とする請求項２１記載の装置。
【請求項２３】磁気角運動ＥＡＳマーカーを非活化するための装置であって、
タイムインターバルの第１のシーケンスの間、第１の交番磁界を生成するための第１の共振回路と、
タイムインターバルの該第１のシーケンスでインターリーブされるタイムインターバルの第２のシーケンスの間、第２の交番磁界を生成するための第２の共振回路と、
前記第１及び第２の共振回路に選択可能に接続され、該第１及び第２のシーケンスそれぞれの間、該第１及び第２の共振回路に電圧を加えるための手段とを備え、
前記交番磁界は、前記磁気角運動ＥＡＳマーカーのバイアス素子の磁場を中和することを特徴とする装置。
【請求項２４】前記第１の共振回路は、第１のコイルと、該第１のコイルに連続して接続される第１のコンデンサーとを含み、
前記第２の共振回路は、第２のコイルと、該第２のコイルに連続して接続される第２のコンデンサーとを含むことを特徴とする請求項２３記載の装置。
【請求項２５】前記第１及び第２の共振回路が包含されるハウジングであって、前記ＥＡＳマーカーが非活化のために差し出される実質的に平らな上部表面を持つ、前記ハウジングをさらに備えることを特徴とする請求項２３記載の装置。
【請求項２６】磁気角運動ＥＡＳマーカーを非活化するための装置であって、
交番駆動信号を供給する電源手段と、
該電源手段に連続して接続されるコンデンサーと、
第１のコイルと、
第２のコイルと、
前記第１のコイルとの直列接続と、前記第２のコイルとの直列接続との間で前記コンデンサーを切り換えるための切換手段とを備え、
前記第１及び第２のコイルのそれぞれは、前記磁気角運動マーカーのバイアス素子の磁場を中和するために、それぞれ交番磁界を生成することを特徴とする装置。
【請求項２７】前記第１及び第２のコイルが包含されるハウジングであって、前記ＥＡＳマーカーが非活化のための差し出される実質的に平らな上部表面を持つ、前記ハウジングをさらに備えることを特徴とする請求項２６記載の装置。
【請求項２８】磁気角運動ＥＡＳマーカーを非活化する方法であって、
第１のコイル及び第２のコイルを提供するステップと、
第１の交番磁界を生成するために、第１の作動モードの間前記第１のコイルに交番駆動信号を供給するステップと、
第２の交番磁界を生成するために、第２の作動モードの間前記第２のコイルに交番駆動信号を供給するステップと、
前記第１及び第２の交番磁界の零交差ポイントに対応する時間において、前記第１及び第２の作動モード間で切り換えるステップと、
前記ＥＡＳマーカーのバイアス素子の磁場を中和するために、前記第１及び第２の交番磁界を通して該ＥＡＳマーカーを一掃するステップと、
を有することを特徴とする方法。
【請求項２９】磁気角運動ＥＡＳマーカーを非活化する方法であって、
（ａ）  第１のコイル及び第２のコイルを提供するステップと、
（ｂ）  前記第１のコイルに交番駆動信号の１サイクルを供給するステップと、
（ｃ）  ステップ（ｂ）の完了後直ちに、前記第２のコイルに前記交番駆動信号の１サイクルを供給するステップと、
（ｄ）  ステップ（ｃ）の完了後直ちに、前記第１のコイルに前記交番駆動信号の１サイクルを供給するステップと、
（ｅ）  前記ＥＡＳマーカーのバイアス素子の磁場を中和するために、ステップ（ｂ）から（ｄ）の間前記第１及び第２のコイルに近接する前記ＥＡＳマーカーを一掃するステップと、
を有することを特徴とする方法。
【請求項３０】磁気角運動ＥＡＳマーカーを非活化するための装置であって、
少なくとも一つのコイルと、
第１の周波数で交流電源信号を供給するための手段と、
前記交流電源信号を受信し、該受信された信号レベルを前記第１の周波数よりの高い第２の周波数に変換するための手段とを備え、
前記少なくとも一つのコイルは、前記第２の周波数で変換された電源信号によって電圧を加えられることを特徴とする装置。
【請求項３１】前記第２の周波数は、前記第１の周波数の２倍であることを特徴とする請求項３０記載の装置。
【請求項３２】前記交流信号を受信し、変換するための前記手段は、該交流電源信号を整流するブリッジ整流器と、該ブリッジ整流器から出力された整流信号をフィルターするためのフィルターを含むことを特徴とする請求項３０記載の装置。
【請求項３３】前記交流電源信号を受信し、変換するための前記手段は、
前記交流電源信号を受信するために、選択的に接続可能な、該交流電源信号によって充電される蓄電コンデンサーと、
前記蓄電コンデンサーに選択的に接続可能で、前記少なくとも一つのコイルを含む、前記第２の周波数で発振するための発振手段と、
を含むことを特徴とする請求項３０記載の装置。
【請求項３４】前記少なくとも一つのコイルは、前記装置の第１の作動モードの間電圧を加えられる第１のコイルと、該装置の第２の作動モードの間電圧を加えられる第２のコイルを含み、
該第１のコイルは、前記第２の作動モードの間電圧を加えられず、該第２のコイルは、前記第１の作動モードの間電圧を加えられないことを特徴とする請求項３０記載の装置。
【請求項３５】前記第１の作動モードの間だけ電圧を加えられる第３のコイルと、前記第２の作動モードの間だけ電圧を加えられる第４のコイルとをさらに備えることを特徴とする請求項３４記載の装置。
【請求項３６】前記少なくとも一つのコイルは、第１のコイルと第２のコイルを含み、
前記交流電源信号を受信し、変換するための前記手段は、
前記交流電源信号を受信するために、選択的に接続可能で、前記第２の周波数で整流する第１の共振回路を形成するために、前記第１のコイルに選択的に接続可能な、該交流電源信号によって充電される第１の蓄電コンデンサーと、
前記交流電源信号を受信するために、選択的に接続可能で、第２の共振回路を形成するために、前記第２のコイルに選択的に接続可能な、該交流電源信号によって充電される第１の蓄電コンデンサーと、
を備えることを特徴とする請求項３０記載の装置。
【請求項３７】前記第２の共振回路は、前記第２の周波数で整流することを特徴とする請求項３６記載の装置。
【請求項３８】前記第１及び第２のコイルが巻回される磁芯をさらに備えることを特徴とする請求項３７記載の装置。
【請求項３９】磁気角運動ＥＡＳマーカーを非活化するための装置であって、
蓄電コンデンサーと、
前記蓄電コンデンサーを選択的に充電するための充電手段と、
前記ＥＡＳマーカーを非活化する磁界を生成するためのコイルと、
前記蓄電コンデンサーと前記コイルを含む共振回路を形成するために、前記蓄電コンデンサーが充電状態であるときに、前記蓄電コンデンサーを前記コイルに選択的に接続するための切換手段であって、前記共振回路は、前記コイルが前記共振回路を形成するために、前記充電された蓄電コンデンサーに接続されるときに、そこに整流信号を持ち、前記切換手段は、前記整流信号の零電流ポイントに対応するタイミングでのみ前記蓄電コンデンサーから前記コイルを切り離すために作動される、前記切換手段と、
を備えることを特徴とする装置。
【請求項４０】前記切換手段は、前記整流信号の１サイクル期間を超えない時間、前記共振回路を形成するために、前記コイルが前記蓄電コンデンサーに接続されるように、作動されることを特徴とする請求項３９記載の装置。
【請求項４１】前記充電手段は、交流電源信号源と、前記蓄電コンデンサーに該交流電源信号を選択的に適用するための手段とを含むことを特徴とする請求項３９記載の装置。
【請求項４２】前記交流電源信号は、第１の周波数を持ち、前記整流信号は、該第１の周波数よりも高い第２の周波数を持つことを特徴とする請求項４１記載の装置。
【請求項４３】前記第１の周波数は、６０Ｈｚであることを特徴とする請求項４２記載の装置。
【請求項４４】前記コイルが包含されるハウジングであって、前記ＥＡＳマーカーが非活化のために差し出される実質的に平らな上部表面を持つ、前記ハウジングをさらに備えることを特徴とする請求項３９記載の装置。
【請求項４５】磁気角運動ＥＡＳマーカーを非活化するための装置を作動する方法であって、
（ａ）  蓄電コンデンサーを充電するために、該蓄電コンデンサーに交流ライン電源を接続するステップと、
（ｂ）  前記充電された蓄電コンデンサーから前記交流ライン電源を切り離すステップと、
（ｃ）  前記充電された蓄電コンデンサーが前記交流ライン電源に接続されないとき、該蓄電コンデンサー及びコイルを含む共振回路を形成するために、該充電された蓄電コンデンサーを該コイルに接続するステップと、
（ｄ）  ステップ（ｃ）と同時に、前記コイルに近接する前記磁気角運動ＥＡＳマーカーを一掃するステップと、
（ｅ）  前記蓄電コンデンサーから前記コイルを切り離すステップと、
を有することを特徴とする方法。
【請求項４６】前記ステップ（ｅ）は、前記ステップ（ｃ）の間前記共振回路に存在する発振信号の零電流ポイントに対応するタイミングで実行されることを特徴とする請求項４５記載の方法。